(57)【要約】      （修正有）【課題】照明灯の出す光と熱を利用して省エネを図った連結証明器具を提供する。【解決手段】蛍光灯１と、蛍光灯の側方を覆う光電変換半導体２と蛍光灯の上方を覆う反射鏡３からなる傘とからなる照明器具を複数個連結してなる連結照明器具において、（１）複数の照明器具のうちの一つの第１の照明器具は外部電源を利用して点灯する、（２）第１の照明器具により発生する光を第１の照明器具の側方を覆う光電変換半導体により電気に変換し、変換された電気により複数の照明器具のうちの一つの第２の照明器具を点灯する、（３）第２の照明器具により発生する光を第２の照明器具の側方を覆う光電変換半導体により電気に変換し、変換された電気により複数の照明器具のうちの一つの第３の照明器具を点灯する、以上（１）〜（３）の構成からなる。【選択図】図２
0003195132.tif 000002
【実用新案登録請求の範囲】
【請求項１】
光電変換半導体と反射鏡で電灯傘とし、そこに照明灯を組合わせて照明器具とし、最初の照明器具の光の一部を電気傘で電気に変換、その電気をリード線で別の照明器具の電源として点灯。また、同様に、そこで得られた電気でまた別の照明器具を点灯と、３個以上の照明器具を次々に点灯する超省エネ照明システムで、電灯傘の隙間から放出した熱を野菜栽培ボックス内の暖房乾燥熱として利用。一度で光電半導体に吸収されなかった光は反射鏡で反射して変換効率を高めた。
【考案の詳細な説明】
【技術分野】
【０００１】本考案は、光電変換半導体と反射鏡で電灯傘とし、そこに照明灯を組合わせて照明器具とし、最初の照明器具の光の一部を電気傘で電気に変換、その電気をリード線で別の照明器具の電源として点灯。また、同様に、そこで得られた電気をまた別の照明器具を点灯と、３個以上の照明器具次々に点灯する超省エネの連結照明器具に関するものである。
【背景技術】
【０００２】現在、照明器具は明かりとして利用する光以外の光が有効利用されていない。この光を光電変換半導体と反射鏡を使って電気に変換し、別の照明器具を点灯、そこで得られる光を再度電気に変換し、また別の照明器具を点灯と、連結した照明器具をシステム内で得られる電気のみで賄えば省エネの照明器具となる。【０００３】太陽電池に使われている半導体材料は、シリコン系と化合物半導体系に大別される。シリコン系には、バルク結晶を用いる結晶シリコン系と、薄膜を用いた薄膜シリコン系、バルク結晶と薄膜を用いたハイブリット系等がある。結晶シリコンのうち単結晶のものはコスト高であるが、変換効率が比較的良い、他結晶のものは低コストであるが効率が劣る。又、薄膜シリコン系は製造コストが低いが、変換効率も下がる。これらに対して、化合物半導体系にガリウム砒素単結晶基板があり変換効率は良い。【０００４】これら太陽電池は定格電圧持っている。例えば１２Ｖは、２Ｖの太陽電池パネルで６枚、１．５Ｖで８枚、１．２Ｖで１０枚で確保できる。また、この定格電圧は小さい程、発電効率は増大し、太陽電池の大きさが決定される。また、太陽電池に反射鏡を組合わせると、一度で吸収されなかった光が反射して電気の変換効率が向上する。
【考案の概要】
【考案が解決しようとする課題】
【０００５】照明灯の出す光と熱が充分利用されていない。
【課題を解決するための手段】
【０００６】光電変換半導体と反射鏡で電灯傘とし、そこに照明灯を組合わせて照明器具とし、最初の照明器具の光の一部を電気傘で電気に変換、その電気をリード線で別の照明器具の電源として点灯。また、同様に、そこで得られた電気でまた別の照明器具を点灯と、３個以上の照明器具を次々に点灯する超省エネ照明システムで、電灯傘の隙間から放出した熱を野菜栽培ボックス内の暖房乾燥熱として利用。一度で光電半導体に吸収されなかった光は反射鏡で反射させ変換効率を高めた。
【考案の効果】
【０００７】１．複数の照明器具の点灯をシステム内部の発電で賄えるので省エネ。
２．天候に左右されない。
３．照明器具と照明器具の配線だけで済み工事が容易。
４．野菜栽培室内の温度上昇ができる。
【図面の簡単な説明】
【０００８】
【図１】本考案の断面概略図。
【図２】照明器具どうしの断面連結概略図。
【考案を実施するための形態】
【０００９】光電変換半導体と反射鏡で電灯傘とし、そこに照明灯を組合わせた照明器具で、最初の照明器具の光の一部を電気傘で電気に変換、その電気をリード線で別の照明器具の電源として点灯。また、同様に、そこで得られた電気でまた別の照明器具を点灯と、３個以上の照明器具を次々に点灯する超省エネ照明システムで、電灯傘の隙間から放出した熱を野菜栽培ボックス内では暖房乾燥熱として利用。一度で光電半導体に吸収されなかった光は反射鏡で反射させ変換効率を高めた。
【実施例】
【００１０】光電変換半導体として、太陽電池と呼ばれる単結晶シリコンパネル５ｃｍ×６ｃｍ、２ボルト・０．５アンペア＝１ワット６枚を使用し筒状に直列につなぎ、上部を反射鏡で覆い電灯傘とした。光電変換半導体と鏡の間には放熱用の隙間を設けた。【００１１】白熱電球１００ボルト・１００ワットを上記電灯傘内に、電球の中心からシリコンパネルまでのそれぞれの距離約１０ｃｍとした。この時の太陽電池の発電量は電圧１２ボルト・電流０．４５アンペアであった。１２ボルト用ＬＥＤ電球２．５ワット２個を直列につなぎ５ワットとして点灯。【００１２】上記電灯傘内に５ワット・６０００ルーメンのＬＥＤ電灯を点灯したところ発電量は電圧１２ボルト、電流０．２５アンペアであった。１２ボルト用ＬＥＤ電球２ワット１個＋１ワット１個を直列して合計３ワットとして点灯。
【産業上の利用可能性】
【００１３】菜園照明、屋内照明、トンネル内照明、非常灯、広告灯等
【符号の説明】
【００１４】▲１▼照明灯
▲２▼光電変換半導体
▲３▼反射鏡
▲４▼リード線
【図１】
0003195132.tif 000003
【図２】
0003195132.tif 000004
【手続補正書】
【提出日】平成26年8月8日(2014.8.8)
【手続補正１】
【補正対象書類名】実用新案登録請求の範囲
【補正対象項目名】全文
【補正方法】変更
【補正の内容】
【実用新案登録請求の範囲】
【請求項１】
照明灯に光電変換半導体と反射鏡の傘を組合わせた照明器具で、複数個を連結して使用する照明器具において、
（１）外部電源を利用して点灯する照明器具、
（２）、（１）の内部で光を光電変換半導体で電気に変換し、それを電源として点灯する照明器具、
（３）、（２）の内部で光を光電変換半導体で電気に変換し、それを電源として点灯する照明器具、
以上（１）〜（３）の構成からなる連結照明器具。
【手続補正書】
【提出日】平成26年10月7日(2014.10.7)
【手続補正１】
【補正対象書類名】実用新案登録請求の範囲
【補正対象項目名】全文
【補正方法】変更
【補正の内容】
【実用新案登録請求の範囲】
【請求項１】
蛍光灯と、蛍光灯の側方を覆う光電変換半導体と蛍光灯の上方を覆う反射鏡からなる傘とからなる照明器具を複数個連結してなる連結照明器具において、
（１）複数の照明器具のうちの一つである第１の照明器具は外部電源を利用して点灯する、
（２）前記第１の照明器具により発生する光を前記第１の照明器具の側方を覆う光電変換半導体により電気に変換し、変換された電気により複数の照明器具のうちの一つである第２の照明器具を点灯する、
（３）前記第２の照明器具により発生する光を前記第２の照明器具の側方を覆う光電変換半導体により電気に変換し、変換された電気により複数の照明器具のうちの一つである第３の照明器具を点灯する、
以上（１）〜（３）の構成からなる連結照明器具。